(57)【特許請求の範囲】
【請求項１】
床面に起立姿勢で配置される支柱本体と、該支柱本体に装着されるカバーとを具備してなり、支柱本体とそれに装着したカバーとの間に、支柱本体の長手方向に沿って延び空間を形成するようにしたものであって、支柱本体を、該支柱本体の中核となり床面に起立姿勢で配置される中心体と、中心体の外側壁と共に上下に連続して延び配線等を収容可能なメインダクトを構成する一対の隔壁と、中心体から外方に向けて突出し中心体に沿って上下に延びる複数のアームとから構成し、隣接して対をなすアームの先端部を除くいずれかの部位にそれぞれ前記カバーを装着し得るカバー取付部を形成するとともに、カバーの幅方向側端部よりも内寄りの位置に前記隣接するアームのカバー取付部に対応して対をなして取り付けられる被取付部を形成し、
支柱本体においてこれらカバー取付部及び被取付部からなる一対の取付部位を前記メインダクトよりもさらに外側にのみ設けるとともに、
カバーを装着した状態でアームの先端部を外部に露出させ、該アームの先端部にオプション部材取付部を形成し、該オプション部材取付部が、支柱本体に沿って上下に連続して延び外方に向けて開口するように形成した連続溝を具備していることを特徴とする支柱。
【請求項２】
カバー取付部を各アームの基端部と先端部との中間部よりも基端部側に形成し、前記隔壁を、アームにおけるカバー取付部よりも基端部側乃至中心体の外側壁から外方へ突出させて形成している請求項１記載の支柱。
【請求項３】
カバー取付部を各アームの基端部に形成し、前記隔壁を中心体の外側壁から外方へ突出させて形成している請求項１記載の支柱。
【請求項４】
カバーの一部に、コンセントを保持し得るコンセント保持部を形成し、前記一対の隔壁間に形成されるメインダクト内に、コンセント保持部に保持されたコンセントの一部を収容し得るようにしている請求項１、２又は３記載の支柱。
【請求項５】
カバーの一部に、カバーと支柱本体との間に形成される空間内を外部に連通させる開口窓を形成している請求項１、２、３又は４記載の支柱。
【請求項６】
カバーが、支柱の外側壁を構成するカバー本体と、カバー本体の幅方向側端部よりも内寄りの位置において支柱本体側へ突出させて形成した前記被取付部とを具備し、前記取付部位において被取付部を前記カバー取付部に着脱可能に係合させるように構成している請求項１、２、３、４又は５記載の支柱。
【請求項７】
カバー本体の両側端部を、前記アームの先端部よりも前方に位置付けていることを特徴とする請求項６記載の支柱。
【請求項８】
カバーを装着した状態で、隣接するカバー本体の側端部同士の間においてアームの先端部を外部に露出させ、該アームの先端部に前記オプション部材取付部を形成していることを特徴とする請求項７記載の支柱。
【請求項９】
前記連続溝がその開口縁部よりも内部の方が幅寸法の広い形状を有し、連続溝の開口縁部を起立姿勢で通過させて位置付けた内部で水平軸周りに一方向へ回転させることによって開口縁部からの抜け出しが規制されるナット部材に対して前記オプション部材を該オプション部材側からネジ止めにより取り付け得るように構成していることを特徴とする請求項１、２、３、４、５、６、７又は８記載の支柱。
【請求項１０】
中心体の周囲に、それぞれ同一形状をなす前記複数のアームを略等間隔で突出させていることを特徴とする請求項１、２、３、４、５、６、７、８又は９記載の支柱。
【発明の詳細な説明】
【０００１】
【発明の属する技術分野】
本発明は、配線空間等として利用することができ、またオプション部材を取り付けることもできる支柱に関するものである。
【０００２】
【従来の技術】
近年のＯＡ化の推進に伴って、オフィス内には多くの配線が溢れかえるようになっている。特に床下から立ち上げた配線や、天井から室内に引き下ろした配線の引き回しは、オフィス空間に見苦しい形で露出しがちであり、配線が通路を横断していたり天井からぶら下がっているとオフィスの機能低下や不慮の事故の原因ともなりかねない。
【０００３】
一方、最近では、オフィスの床面に起立させた複数の支柱に横架材を支持させて、パネルや収納棚、天板等のオプション部材を配置することで特定の作業空間を形成するようにしたものが知られてきている。このような構成の作業空間は、オフィスレイアウトをフレキシブルに行い得ることで注目されているが、作業空間を構築する支柱に配線案内機能を持たせることによって、配線を露出させないすっきりとしたオフィス空間を形成することも考えられている。
【０００４】
その他にも、例えばデスクにはコンピュータや照明器具等、特に多くの配線を要する設備が配置されることから、デスクの天板を支持する脚支柱の内部に床下から立ち上げた配線を案内させるようにしたものも考えられている。
このような構成の支柱や脚支柱では、その内部を上下に連通して延びる一つの空洞として、その空洞を配線案内路として利用したり、支柱（脚支柱を含む）を支柱本体とその一縁部に沿って装着されるカバーとから構成し、支柱本体とカバーとの間に配線案内路となる空間を形成するようにしたものが一般的である。
【０００５】
【発明が解決しようとする課題】
ところが、予め支柱本体に沿って配線案内路内にＯＡ機器や照明器具等の電力線、社内ＬＡＮ、ＷＡＮ等の通信線、ＯＡ機器同士の接続ケーブル等の配線が通っている場合や、カバーに予め取り付けられた電源用コンセントや情報用コンセントから支柱本体側に配線が延びている場合などに、カバーを支柱本体に装着しようとすると、カバーと支柱本体との間の取付部分に配線が干渉して、カバーを装着しにくい場合がある。また、多種類の配線が混在して同時に使用される昨今の事情を考慮すると、上述のように配線案内路を一つしか備えていない構成の支柱や脚支柱であると配線を種類や目的ごとに分類することが困難であるため、一見しただけではどれが何の配線であるのか判断することが難しい。特に配線類には、それが使用される機器によって情報用又は通信用と電力用に分類され、それらは弱電用と強電用とに区別されており、それぞれに対応するコンセントも区別して設けられているのが通常である。そのため、配線類を無秩序に配線案内路に格納するのではなく、種類ごとに異なる配線案内路に区別して収納したい、できれば使用態様に応じてユーザー自身で自由に配線を変更したいという、ユーザー側の要望もある。さらに、支柱内部に形成した配線案内路に配線を通したりその配線を取り出したりするには、支柱を持ち上げたり傾けたりする必要が生じるため、作業が大がかりとなり極めて煩雑である。
【０００６】
以上のような問題を解消するために本発明は、床下や天井から引き出した配線類を収容し得る有用な配線案内機能を付与するとともに、支柱本体に対するカバーの取付作業を極めて容易なものとすることを主たる目的とした支柱を提供するものである。
【０００７】
【課題を解決するための手段】
すなわち、本発明の支柱は、床面に起立姿勢で配置される支柱本体と、該支柱本体に装着されるカバーとを具備してなり、支柱本体とそれに装着したカバーとの間に、支柱本体の長手方向に沿って延び空間を形成するようにしたものであって、支柱本体を、該支柱本体の中核となり床面に起立姿勢で配置される中心体と、中心体の外側壁と共に上下に連続して延び配線等を収容可能なメインダクトを構成する一対の隔壁と、中心体から外方に向けて突出し中心体に沿って上下に延びる複数のアームとから構成し、隣接して対をなすアームの先端部を除くいずれかの部位にそれぞれ前記カバーを装着し得るカバー取付部を形成するとともに、カバーの幅方向側端部よりも内寄りの位置に前記隣接するアームのカバー取付部に対応して対をなして取り付けられる被取付部を形成し、支柱本体においてこれらカバー取付部及び被取付部からなる一対の取付部位を前記メインダクトよりもさらに外側にのみ設けるとともに、カバーを装着した状態でアームの先端部を外部に露出させ、該アームの先端部にオプション部材取付部を形成し、該オプション部材取付部が、支柱本体に沿って上下に連続して延び外方に向けて開口するように形成した連続溝を具備していることを特徴としている。
【０００８】
支柱としては、横架材等を支持して所定の作業空間を形成する構造物の支柱、デスクやテーブルの脚支柱、パーティションパネル等を支持する支柱など、種々の支柱一般に適用することができるが、上記のような構成の支柱であれば、まず支柱本体の中心体及びアームとそれに装着したカバーとの間に、支柱に沿った配線案内路として利用できる空間を容易に形成することができる。そして、その空間内において、支柱本体に沿って配置された配線やカバーに取り付けられるコンセント等から支柱本体側に延びる配線等の無秩序になりがちなものを、一対の隔壁間におけるメインダクト内に秩序立てて納めておくことができるので、その結果、カバーを配線と取付部位において干渉させずにスムーズに支柱本体に装着することができるようになる。また、隔壁とアームとの間には、メインダクトが形成された隔壁間の空間とは相互に仕切られた別の空間が一つ又は複数形成されるので、これらの空間にそれぞれ異なる種類の配線等を分類して収容することもできる。
【０００９】
特に、カバー取付部を各アームの基端部と先端部との中間部よりも基端部側に形成した場合には、一対の隣接するアーム同士のカバー取付部間距離が小さくなるため、従来であれば配線等が前記取付部位に干渉しがちとなるが、隔壁を、アームにおけるカバー取付部よりも基端部側乃至中心体の外側壁から外方へ突出させて形成しておくと、そのような不具合を有効に解消することができる。また、カバー取付部を各アームの基端部に形成した場合には、隔壁を中心体の外側壁から外方へ突出させて形成することが、上記不具合の解消のためには有効である。
【００１０】
このような構成を利用して、カバーの一部にコンセントを保持し得るコンセント保持部を形成する場合には、一対の隔壁間に形成されるメインダクト内にコンセント保持部に保持されたコンセントの一部を収容し得るように構成すると、コンセントから延びる配線をメインダクト内に好適に納めておくことができる。また、カバーの一部には、カバーと支柱本体との間に形成される空間内を外部に連通させる開口窓を形成しても、メインダクト内から配線を支柱外へ容易に引き出すことができる。
【００１１】
カバーと支柱本体との好適な取付構造としては、カバーを、支柱の外側壁を構成するカバー本体と、カバー本体の幅方向側端部よりも内寄りの位置において支柱本体側へ突出させて形成した前記被取付部とを有するものとして、取付部位において被取付部をカバー取付部に着脱可能に係合させるように構成したものが挙げられる。
【００１２】
この場合、単一のカバーを用いて一対のアーム間に複数の区画された空間を形成するには、カバー本体の両側端部を、前記アームの先端部よりも前方に位置付けていることが好ましい。
【００１３】
一方、このような支柱に、天板、棚、パネル、照明器具、支柱間に亘る配線ダクト等のオプション部材を取り付けて、会議室やグループあるいは個人用のスペースとしてフレキシブルなオフィス空間を形成し得るようにするためには、カバーを装着した状態で、隣接するカバー本体の側端部同士の間においてアームの先端部を外部に露出させ、該アームの先端部にオプション部材取付部を形成することが望ましい。このようにすることで、支柱に形成した空間内の配線等に影響を与えることなくオプション部材を取り付けることができるようになる。
【００１４】
このような場合、オプション部材の取付高さ位置を自由に変更できるようにするためには、オプション部材取付部に、支柱本体に沿って上下に連続して延び外方に向けて開口するようにアームの先端部に形成した連続溝を設けるとよい。このような連続溝に対応して、簡単にオプション部材を取り付けられる好適な具体的構成としては、この連続溝をその開口縁部よりも内部の方が幅寸法の広い形状を有するものとして、連続溝の開口縁部を起立姿勢で通過させて位置付けた内部で水平軸周りに一方向へ回転させることによって開口縁部からの抜け出しが規制されるナット部材に対してオプション部材をそのオプション部材側からネジ止めにより取り付け得るように構成したものが挙げられる。
【００１５】
以上のような構成の支柱を、鉛直軸周りの方向を問わずに配置し得るようにして、施工の簡便化を図り得る具体例には、中心体の周囲に、それぞれ同一形状をなす前記複数のアームを略等間隔で突出させた構成とすることが好ましい。
【００１６】
【発明の実施の形態】
以下、本発明の一実施形態を、図面を参照して説明する。
【００１７】
図１は、本実施形態の支柱２を床面Ｆに複数起立状態で配置するとともに、隣接する支柱２の上端部間に横架材８を支持させて形成した構造体１によって、オフィス空間に所定の作業空間、いわゆる作業空間モジュールを形成したものを全体の外観図として示している。支柱２には、オプション部材として棚用の円形天板１０や配線ダクト１０ｘを取り付けられるようにしているが、オプション部材にはその他にもデスク用の天板１０ｙや照明器具１０ｚ等も取り付け得ることができる。
【００１８】
まず、支柱２の具体的構成について説明する。
【００１９】
この支柱２は、図２及び図８に示すように、アルミ押し出し成形材を所定の長手寸法に切断することによって長手方向に沿って各部等断面形状をなすようにした支柱本体３と、その支柱本体３に着脱可能に装着されるカバー６とからなるものである。
【００２０】
支柱本体３は、その中核部分をなし中心に位置付けられる中心体４と、中心体４から四方に延ばした四本のアーム５とを一体成形したものである。中心体４は、平断面視概略正方形の角パイプ状をなすもので、支柱本体３に対応する長手寸法を有している。アーム５は、いずれも同一形状を有し中心体４と略同一の長手寸法を有しており、それぞれ中心体４の四つの起立壁４１における外向面により構成される各四隅をそれぞれ基端部５１ａとして中心体４の平断面形状である正方形の対角線に沿って外方に向けて延びる平板状のアーム本体５１と、アーム本体５１の先端部を二股に分岐させた一対の先端部５２と、アーム本体５１の基端部５１ａと先端部５２との中間部よりも基端部５１ａ側の部位においてアーム本体５１の肉厚を部分的に膨出させた形状をなす一対のカバー取付部５３とを備えている。そして、これらカバー取付部５３よりもさらに基端部５１ａ寄りの部位に、外方へ向けて相互に約９０°をなして開くように突出させた板状をなす一対の隔壁５６を形成している。なお、この支柱本体３は、図示しないが下端部において中心体４の中央部に挿入した固定ナットに床面Ｆ側から突出させたボルトを止着することにより床面Ｆに固定している。
【００２１】
先端部５２は主として、アーム本体５１の先端から平面視クランク状をなして複数箇所で屈曲させた第１の起立壁５２１と、第１の起立壁５２１の基端部から中心体４の一起立壁４１と略平行するようにごく短く延ばした第２の起立壁５２２とから構成される。また、前記第１の起立壁５２１には、同一のアーム本体５１から突出する他方の先端部５２における第１の起立壁５２１と相寄る方向に突出する板状の突出壁５２３を形成して、これら突出壁５２３と二つの第１の起立壁５２１とによって囲まれる空間に平面視矩形状をなして上下に延びる連続溝５４を形成している。この連続溝５４は、前記一対の突出壁５２３の先端間を通じて外部に開放されているため、その開口縁部５４ａよりも内部の方が広がった形状となっている。また、連続溝５４よりもさらにアーム本体５１側の部位は、アーム本体５１の先端と一対の第１の起立壁５２１の基端部とによって平面視コ字形に囲まれ連続溝５４に対して開放されて上下に延びる溝部５５を形成している。そして、これら突出壁５２３、連続溝５４及び溝部５５によって、オプション部材取付部Ｘを構成している。
【００２２】
カバー取付部５３は、いずれもアーム本体５１の基端部５１ａから先端部５２側へ向けて所定距離偏位した基端部５１ａ寄りの位置において、図２及び図６〜図８に示すように、当該アーム本体５１の左右両側に平断面視概略台形状をなすように膨出させたものであり、このようなカバー取付部５３をアーム本体５１の長手方向に沿って上下に連続させている。そして、このカバー取付部５３のうち中心体４側を向く面を窪ませて、上下に延びる凹部５３ａを形成し、この凹部５３ａに、カバー６に形成される後述の被取付部たる爪部６２ａを着脱可能に係合させるようにしている。
【００２３】
また、一つのアーム５に形成される一対の隔壁５６は、アーム本体５１に形成した前記カバー取付部５３よりもさらに基端部５１ａ側の部位において、このアーム本体５１と約４５°の角度をなして、すなわち中心体４の起立壁４１に対して略直交方向へ延びる薄板状のものである。各隔壁５６の先端部は、その隔壁５６が設けられるアーム本体５１に隣接するアーム本体５１側へ向けて僅かに屈曲させている。そして、隣接するアーム５によって挟まれる空間内において、それぞれのアーム５に設けた２つの隔壁５６と、アーム本体５１の隔壁５６よりも基端部５１ａ側の部位と、中心体４の一つの起立壁４１とによって包囲され、外方へ向けて開放される空間を、配線等をこの支柱２に沿って通すためのメインダクト５７としている。
【００２４】
カバー６は、アーム５の一方の第２の起立壁５２２の基端部からそれに隣接するアーム５の第２の起立壁５２２までの幅寸法を有し支柱本体３よりも若干短い高さ寸法を有するカバー本体６１と、カバー本体６１の後向面から前記中心体４に向けて突出させた一対の突出壁６２とを一体に成形した弾性変形可能な合成樹脂製の部材である。カバー本体６１は、外側に向けて凸となるように若干湾曲させており、両側端部を斜め後方に向けて内側へ屈曲させた屈曲部６１ａを形成し、この屈曲部６１ａをアーム５の第１の起立壁５２１の先端部ないしは第２の起立壁５２２の基端部の前方に位置付けるようにしている。また、突出壁６２は、隣接するアーム５のカバー取付部５３同士の対向面側に沿ってそれぞれ延びるもので、前記カバー取付部５３に取り付けられる被取付部として機能する。そして、それらの先端部もそれぞれ外側方に向けて屈曲させて爪部６２ａを形成しており、この爪部６２ａをそれぞれカバー取付部５３の凹部５３ａに中心体４側から係合させるようにしている。なお、この突出壁６２の基端部は一旦内側へ略直角に屈曲させており、突出壁６２全体としてクランク状をなすように形成してある。すなわち、この突出壁６２は、カバー６が支柱本体３に取り付けられる際の被取付部として機能するものである。
【００２５】
また、このカバー６には、図２、図５及び図８に示すように、電源コンセントＣ１や情報コンセントＣ２を保持し得るコンセント保持部６３を形成している。具体的にこのコンセント保持部６３は、カバー本体６１の適宜の高さ位置に形成したものであって、保持対象である電源コンセントＣ１や情報コンセントＣ２の大きさや形状に対応してカバー本体６１の厚みを貫通させた例えば矩形状の貫通孔６３１、６３２からなるものである。そして、これら貫通孔６３１、６３２に電源コンセントＣ１や情報コンセントＣ２の外部に露出させる表面Ｃ１ａ、Ｃ２ａの周縁部を係合させることにより、カバー本体６１に電源コンセントＣ１や情報コンセントＣ２を保持させるようにしている。
【００２６】
このような構成に基づいて、一対の爪部６２ａをそれぞれアーム５のカバー取付部５３に対して素材の弾性を利用して係合させることによりカバー本体６１を扁平に弾性変形させてカバー６を装着すると、中心体４の一起立壁４１、隣接する一対のアーム本体５１の基端部５１ａ側、カバー本体６１の幅方向中央部、一対の突出壁６２、及び一対の隔壁５７によって包囲されそれぞれ上下に延びる四つの第１の空間Ｓ１が形成されることになる。そして、この第１の空間Ｓ１内に前記メインダクト５７が形成されている。なお、本実施形態では、一つのアーム本体５１に設けられたカバー取付部５３と隔壁５６との位置関係に基づき、前記突出壁６２は、それらカバー取付部５３と隔壁５６との間に軽圧入されている。このとき、電源コンセントＣ１や情報コンセントＣ２のうち、カバー本体６１の背面側に位置づけられる後端部側Ｃ１ｂ、Ｃ２ｂは、図８に示すように、カバー６を支柱本体３に装着した状態で、対向している一対の隔壁５６間のメインダクト５７に収容される。したがって、電源コンセントＣ１や情報コンセントＣ２の後端部側Ｃ１ｂ、Ｃ２ｂから背後に延びる配線Ｃ１ｃ、Ｃ２ｃもメインダクト５７に収容されることになる。
【００２７】
またこの第１の空間Ｓ１の両側部において、隣接する一対のアーム５間には、アーム本体５１の先端部側及びアーム５の先端部５２、カバー取付部５３、カバー本体６１の側端部、及び突出壁６２によって包囲される第２の空間Ｓ２がそれぞれ形成される。その際、各アーム本体５１は、隣接する第１の空間Ｓ１同士を区画する隔壁として機能し、またカバー取付部５３及び突出壁６２は、隣接する第１の空間Ｓ１と第２の空間Ｓ２とを区画する隔壁として機能している。なお、カバー本体６１の屈曲部６１ａと突出壁６２との間には、カバー６を支柱本体３に装着した状態でアーム５の第２の起立壁５２２の前面に前方からわずかに接するように後方に向けて突出させた複数のリブ６３を設けており、カバー６の装着時における安定化を図っている。また、床面Ｆにおける支柱２を配置すべき個所には図示しないが配線引き出し用の穴を開けて、その穴と支柱２の第１及び第２の空間Ｓ１、Ｓ２とを連通させるようにしている。さらに、カバー６を装着した状態では、カバー本体６１の両側端部に形成した屈曲部６１ａはアーム５の何れの部位にも接しておらず、寧ろ第１の起立壁５２１の先端部ないし第２の起立壁５２２との間に若干の隙間ｓが生じている。
【００２８】
このような構成の支柱２に支持される横架材８は、図３に示すように両側端部を開口させたチャネル材であり、隣接する支柱２の上端部にそれぞれ取り付けた連結部材９を介して両支柱２に支持されている。連結部材９は、支柱２の上端部に取り付けた図示しないアジャスタ部材に対して上下移動させた任意の位置で固定できるようになっており、隣接する支柱２同士の間で各連結部材９を上下動作させることで横架材８を水平に保つようにしている。そのために、連結部材９には隣接する支柱２に向けて突出する突起部９１を形成しており、これら突起部９１に横架材８を上方から落とし込んで載せるようにしている。また、横架材８の上面には、配線類を載せられるように長手方向に延びる案内溝８１を形成している。そして、支柱２に形成された空間Ｓを、天井付近の空間や横架材８の内部又は案内溝８１に連通させるように、連結部材９にはそれぞれ開口窓９２、９３を形成している。なお、外部から連結部材９等を隠すため、支柱２の上端部には図１に示すようなコーナーカバー１３を被せている。
【００２９】
次に、支柱２の中間高さ位置において、オプション部材取付部Ｘに図１に示す円形天板１０をオプション部材として取り付ける場合について一例として取り上げ、図４〜図７を参照して説明する。
【００３０】
この円形天板１０は、支柱２を中心部に挿通させた平面視ドーナツ形をなすもので、その形状を直径方向に均等に二分割した形状の一対の天板要素１０ａ、１０ｂを接合してなるものである。各天板要素１０ａ、１０ｂは、オプション部材取付部Ｘにおける連続溝５４に位置付けたナット部材１２にボルトＢによって固定される取付部材１１によって支持されている。取付部材１１は、支柱２の隣接するカバー６の側端部間距離よりも若干小さい幅寸法を有する起立板１１１と、この起立板１１１からＶ字形に広がって斜め上方に延びる二つの支持桿１１２、１１３と、各支持桿１１２、１１３の上端部に略水平な姿勢で取り付けられ天板要素１０ａ、１０ｂを下方から支持する水平板１１４とからなる。起立板１１１には上端部及び下端部にそれぞれボルトＢを厚み方向に挿通し得る貫通孔１１１ａを形成している。支持桿１１２、１１３は起立板１１１に支持される基端部の高さ位置を相互に異ならせるとともに、水平板１１４を前端部側、後端部側でそれぞれ支持するようにしている。水平板１１４は、平面視台形状をなすもので、下方から天板要素１０ａ、１０ｂにネジ止めするようにしている。このような取付部材１１を支柱２の四つのオプション部材取付部Ｘにそれぞれ配置して、隣接する二つの取付部材１１によって一つの天板要素１０ａ、１０ｂをそれぞれ支持するようにしている。
【００３１】
一方、ナット部材１２は、前記連続溝５４の開口縁部５４ａよりも若干小さい幅寸法と、連続溝５４の内部における幅寸法に略等しい高さ寸法と、連続溝５４の奥行き寸法に略等しい厚み寸法を有し、中央部に前記ボルトＢの先端部を止着し得るネジ孔１２ａを形成した板状の部材であって、正面視した場合長方形の一対角部分を斜めに切除したような扁平な六角形状をなしている。そして、図７に示すように、このナット部材１２を長手方向を上下方向に一致させた姿勢で連続溝５４の開口縁部５４ａを通過させて連続溝５４内に位置付け、その位置で同図に矢印ａ方向で示すように時計回りに回転させて姿勢を水平軸周りに９０°変更した状態にして、前記取付部材１１の起立板１１１の貫通孔１１１ａに挿入したボルトＢをナット部材１２のネジ孔１２ａに止着するようにしている。この状態で、ナット部材１２と起立板１１１との間に突出壁５２３を共締めにして挟み込んでいる。なお、ここでは一つの起立板１１１に対してナット部材１２を二個使用している。また、ボルトＢの先端部Ｂａは連続溝５４の奥方の溝部５５内に逃がすようにしている。さらに、ボルトＢの頭部と起立板１１１との間には、リング状の座金Ｗを配置している。
【００３２】
なお、ナット部材としては、上述したような回転動作により取り付けられるものに限らず、連続溝５４の開口縁部５４ａに正対する姿勢から鉛直軸周りに傾斜させた姿勢で連続溝５４内に挿入するようなものを利用してもよい。そして、いずれかの態様のナット部材を用いることにより、上記円形天板１０以外にも、配線ダクト１０ｘ、デスク用の天板１０ｙ、照明器具１０ｚ等の種々のオプション部材を支柱２に取り付けることができる。特に、天板１０ｙが配線案内機能を有していない場合には、この天板１０ｙの取付高さ位置と略同様の高さに配線ダクト１０ｘを支柱２間に亘って取り付けるようにすると、配線ダクト１０ｘによって配線を外部に露出させない好適な配線案内機能を天板１０ｙの近傍に付帯させることができる。
【００３３】
以上のように、本実施形態の支柱２は、支柱本体３とそれに装着したカバー６との間に、上下に延びる空間Ｓ１、Ｓ２が形成されるとともに、そのうち空間Ｓ１においては、支柱本体３とカバー６との取付部位Ｙよりも内側における支柱本体３に設けた隔壁５６と中心体４の外側壁４１によって包囲されるメインダクト５７が更に形成されている。また、空間Ｓ１と空間Ｓ２とは、隔壁５６及びカバー６の突出壁６２とによって区画されている。図８に想像線で示すように、床面Ｆから立ち上げたり天井から引き下ろした電力線や通信線等の種々の配線類Ｈ１、Ｈ２をそれら各空間Ｓ１、Ｓ２に分類して通すことができ、各空間Ｓ１、Ｓ２を好適な配線案内路として利用することが可能である。この場合、例えば第１の空間Ｓ１には電力供給用の強電配線Ｈ１を格納するとともに、第１の空間Ｓ２には情報通信用の弱電配線Ｈ２を格納し、それらをカバー取付部５３及び突出壁６２によって仕切るようにすることで、種類別の配線を容易に行うことができる。特に、一対の対向する隔壁５６を一対の対向するカバー取付部５３よりも基端部５１ａ側に設けていることから、空間Ｓ１側では、カバー６に設けた電源コンセントＣ１や情報コンセントＣ２の後端部側Ｃ１ｂ、Ｃ２ｂ及び配線Ｃ１ｃ、Ｃ２ｃや、前記配線類Ｈをメインダクト５７内に収容させておくことで、カバー６を支柱本体３に装着する際に、それら配線Ｃ１ｃ、Ｃ２ｃや配線類Ｈが、突出壁６２とカバー取付部５３との係合の障害となることがないため、カバー６の装着作業を極めて容易化することが可能である。
【００３４】
特に本実施形態の支柱２は、横架材８等と共にオフィス内の作業空間を形成する構造物１に適用しているため、特に多くの配線類Ｈを使用することが予想されるが、このような支柱２によって配線類Ｈ１、Ｈ２を分類して案内しそれらをカバー６によって隠蔽することで、オフィス空間をすっきりとしたものとすることができ、作業効率の向上や事故の防止を有効に図ることが可能である。また、支柱２に案内させた配線Ｃ１ｃ、Ｃ２ｃや配線類Ｈを横架材８にも案内させて、他の支柱２へと引き回すことも可能である。
【００３５】
特にカバー６にはコンセント保持部６３を形成し、このコンセント保持部６３に電源コンセントＣ１や情報コンセントＣ２を保持させた構成としているため、これら各コンセントＣ１、Ｃ２から延びる配線Ｃ１ｃ、Ｃ２ｃを、突出壁６２のカバー取付部５３に対する装着時に干渉させないようにメインダクト５７内に収容させることで、カバー６の装着作業にとって好都合である。
【００３６】
また、カバー６は支柱本体３に着脱できるため、支柱本体３の設置後でもカバー６を取り外せば前記空間Ｓに収容された配線Ｃ１ｃ、Ｃ２ｃや配線類Ｈが露出されることになり、容易に配線作業やメンテナンスを行うことができる。さらにこのカバー６は、合成樹脂製の弾性変形可能な素材からなるものであるので、その弾性変形を利用すれば容易に支柱本体３に着脱することができ、また装着後は簡単には脱落しないようにすることもできる。
【００３７】
支柱本体３の具体的構成は、その中核となる中心体４と、中心体４から外方に向けて突出する四つのアーム５とから構成したものであり、アーム５の延出方向における中間位置よりも基端部５１ａ寄りにカバー取付部５３を形成して、隣接するアーム５のカバー取付部５３同士にカバー６を装着するようにしているため、簡単な構成の支柱本体３にカバー６を容易に装着することができ、また支柱本体３とカバー６との間に好適な空間Ｓ１を形成しつつアーム本体５１に隣接する空間Ｓ１同士を仕切る隔壁としての機能を付与することが容易である。
【００３８】
より具体的には、カバー６側には被取付部たる突出壁６２を一対形成してこれをカバー取付部５３に係合させるようにしており、さらにカバー本体６１の両側端部をアーム５の先端部の前方に位置付けているため、カバー６を支柱本体３に装着すると、前記空間（第１の空間）Ｓ１に加えてその両側方に第２の空間Ｓ２をも形成することができる。したがって、支柱２には、第１の空間Ｓ１が４つ、第２の空間Ｓ２が８つ形成される。すなわち、一つの支柱本体３と４つのカバー６によって合計１２の配線案内路として利用し得る空間Ｈ１、Ｈ２が得られるので、種類ごとに分別した配線の格納が極めて好適に行える。特にカバー６の突出壁６２とカバー取付部５３とを相対向させているため、カバー６の装着時にはカバー６を取付方向すなわち中心体４側へ押圧するだけの極めて簡単な動作で突出壁６２とカバー取付部５３とが係合することになり、容易に装着作業を行うことができる。逆に、カバー６の取り外しも極めて容易に行うことができる。
【００３９】
一方、隣接するアーム５同士の間に露出されるアーム５の先端部には、カバー６を装着した状態で前記円形天板１０等のオプション部材を取り付け得るオプション部材取付部Ｘを形成しているので、支柱２の配線案内機能には影響を与えることなく、しかもその都度カバー６を取り外すこともなく円形天板１０等を支柱２に取り付けて、極めて使い勝手のよいオフィス空間を容易に構築できる。
【００４０】
さらに、このオプション部材取付部Ｘは、外方に向けて開口し上下に延びる連続溝５４を備えているため、その連続溝５４に対して自由な高さ位置に円形天板１０等を取り付けられることになり、オフィス空間のレイアウトの変更も容易である。そして、連続溝５４を開口縁部５４ａよりも内部の幅寸法の方を広げて、その開口片部５４ａを通過させたナット部材１２を連続溝５４の内部で水平軸周りに一方向へ回転させることによって開口縁部５４ａから抜け出ないようにした上で、ナット部材１２に円形天板１０等のオプション部材をボルトＢで止着するようにしているため、支柱２に対する自由な高さ位置で円形天板１０等を極めて簡単且つ安定的に取り付けることが可能である。
【００４１】
さらに支柱本体３は、中心体４の周囲に同一形状の四つのアーム５を等間隔で突出させているので、支柱２を鉛直軸周りの方向を問わずに配置することができ、また支柱２の周囲にいずれも同じ状態で横架材８や、円形天板１０、配線ダクト１０ｘ等のオプション部材を支持させることができるようになり、施工作業の簡便化や部材の共通化を図ることが可能である。
【００４２】
なお、本発明は上記実施形態のものに限られない。例えば図９に断面図を示すものは、カバー取付部５３’を上記実施形態のカバー取付部５３よりも更にアーム本体５１の基端部５１ａに設け、隔壁５６’を中心体４の外側壁４１の側端部ないしアーム本体５１の基端部５１ａに設けたものである。また、カバー６の突出壁６２’は、前記カバー取付部５３’に対応して設けたものであり、上記実施形態におけるカバー６の突出壁６２と略同じ位置に基端部を有し、先端部をそれよりも更に内側へ屈曲させた形状をなしている。この変形例においても、カバー６を支柱本体３に取り付けるための取付部位Ｙ’は、カバー取付部５３’に形成した凹部５３ａ’と突出壁６２ａの先端部に形成した爪部６２ａ’とを着脱可能に係合させる構成としている。このような構成の支柱１としても、隔壁５６’同士の間にメインダクト５７’が形成されることになり、このメインダクト５７’内に配線類ＨやコンセントＣ１等の配線Ｃ１ｃ等を収容させることで、カバー６の装着が容易であるなどの上記実施形態と同様の作用効果を奏するものである。また、この他にも、カバー取付部をアーム本体５１の基端部に設けるとともに、隔壁を対向する一対のカバー取付部の内側となる中心体の外側壁に設けるなどの変更を加えても、同様の作用効果が得られるのはいうまでもない。
【００４３】
その他、カバーに支柱本体との間の空間に収容される配線を引き出し得る開口窓を形成し、この開口窓を通じて配線を支柱から外部へ引き回し得るようにするなど、各部の具体的構成についても上記実施形態に限られるものではなく、本発明の趣旨を逸脱しない範囲で種々変形が可能である。
【００４４】
【発明の効果】
本発明は、以上詳述したように、支柱を、床面に起立姿勢で配置される支柱本体と、該支柱本体に装着されるカバーとの間に、支柱本体の長手方向に沿って延びる空間を形成したものであるので、その空間を配線案内路として利用することができる。そして、カバーの装着のために、支柱の中核部分をなす中心体から外方へ延びる複数のアームの基端部から先端部以外の部位にカバー取付部を形成するとともに、このカバー取付部に取り付けられる被取付部をカバーに形成し、さらにこれら隣接するアームのカバー取付部及び被取付部よりも内側に形成した隔壁間にメインダクトを形成しているため、このメインダクトに前記空間に挿通した配線等を納めておけば、カバーの装着時に、配線などが被取付部のカバー取付部への接近の障害となることがないため、スムーズな操作でカバーを支柱本体に装着することが可能である。また、前記空間が、カバー取付部及び被取付部、及び隔壁等によって複数に区画されていれば、それら区画された空間に複数種類の配線等を分類し整理して収容することもできる。
【００４５】
また、支柱として横架材等を支持して所定の作業空間を形成する構造物の支柱やデスクやテーブルの脚支柱等として適用すれば、少なくとも床下から引き出して立ち上げられる電力線や通信線等の種々の配線類を好適に分類して収容しカバーによって隠蔽した状態にして、オフィス等の室内空間をすっきりとさせることができ、さらには作業効率の向上や事故の防止を有効に図ることが可能である。さらに、支柱が、床面から天井付近まで延びるものであれば、同様に天井から引き出した配線類も分類して収容することができる。
【図面の簡単な説明】
【図１】本発明の一実施形態を適用したオフィス空間の概観を示す斜視図。
【図２】同実施形態の上端部近傍を一部分解して示す斜視図。
【図３】同実施形態に横架材を支持させた状態を一部省略して示す斜視図。
【図４】同実施形態に天板を取り付けた状態を示す部分的な正面図。
【図５】図４におけるＡ−Ａ線断面図。
【図６】図５の一部を拡大して示す断面図。
【図７】同天板の取付状態を示す分解斜視図。
【図８】同実施形態に配線類を格納した状態を示す概略的断面図。
【図９】同実施形態の一変形例を図８に対応して示す概略断面図。
【符号の説明】
２…支柱
３…支柱本体
４…中心体
５…アーム
６…カバー
１０…オプション部材（円形天板）
１２…ナット部材
５３、５３ａ’…カバー取付部
５４…連続溝
５６…隔壁
５７…メインダクト
６２、６２ａ’…被取付部（突出壁）
６３…コンセント保持部
Ｓ１、Ｓ２…空間
Ｘ…オプション部材取付部
Ｙ、Ｙ’…取付部位
【図１】
0003989770.tif 000002
【図２】
0003989770.tif 000003
【図３】
0003989770.tif 000004
【図４】
0003989770.tif 000005
【図５】
0003989770.tif 000006
【図６】
0003989770.tif 000007
【図７】
0003989770.tif 000008
【図８】
0003989770.tif 000009
【図９】
0003989770.tif 000010